(57)【特許請求の範囲】
【請求項１】
活性成分として有効量の食用酸と、薬学的に許容される添加剤からなる組成物の溶液の使用であって、
前記食用酸はフマル酸、コハク酸、リンゴ酸、酒石酸、クエン酸、乳酸からなる群から選択された少なくとも一種の酸であり、
前記食用酸の含有量が０．０６〜１００重量％であって、
前記溶液に浸漬することにより、皮膚と接触する手袋又は衣類の表面を処理し、表面にあるアレルギー原又は蛋白質を変性することにより、アレルギーを防止又は改善する組成物の溶液の使用。
【発明の詳細な説明】
【技術分野】
【０００１】
本発明は、体液のｐＨ値を下げて免疫疾患を緩和又は治療する薬剤組成物であって、食用酸及び／又は酸性塩を活性成分として体液のｐＨ値を下げて免疫疾患を緩和又は治療する薬剤組成物；食用酸及び／又は酸性塩を含む果物またはその製品が個人の免疫力を改善する薬品、食品、飲料、または保健品の使用；アレルギーリスクを防ぐ食品とその製造方法；体液のｐＨ値を下げて虫刺されに起因する疾患を緩和又は治療する薬剤；感冒薬剤組成物；抗炎薬剤組成物；皮膚炎薬剤組成物；入浴薬剤組成物；皮膚と接触するもの、例えば手袋、衣類の処理薬剤組成物及び処理物；経皮吸収薬剤組成物；心血管血栓防止及び治療薬剤組成物に関する。
【背景技術】
【０００２】
免疫反応による組織傷害を起こすアレルギー反応には四つの型がある。Ｉ型は即時型アレルギー反応で１ｇＥ抗体によるアレルギー反応である。このアレルギー反応による疾患には、過敏性鼻炎、アナフィラキシー、アトピー性皮膚炎、ぜんそく、パーキンソン病、枯草熱、食物アレルギー等がある。ＩＩ型は細胞毒害型であって、１ｇＭと１ｇＧ抗体によるアレルギー反応で、このアレルギー反応による疾患には、溶血病、自己免疫性溶血性貧血、急性リューマチ熱、腎炎、薬物アレルギー、肝炎等がある。ＩＩＩ型は免疫複合体型アレルギー反応で、このアレルギー反応による疾患には、ループス腎炎、アルサス（Ａｒｔｈｕｓ）反応、リューマチ性関節炎、血管炎、血清病等がある。ＶＩ型（遅延型）アレルギー反応はＴ細胞によるアレルギー反応で、このアレルギー反応による疾患は局部アレルギー、Ｉ型の組織アレルギー、紅斑、糖尿病、多発性硬皮症等がある。
【０００３】
免疫欠乏症には、先天性免疫欠乏症と後天性免疫欠乏症（ＡＩＤＳ）の二種類があり、後者はヒト免疫不全ウィルス（ＨＩＶ）による疾患であり、前者は、呼吸道感染、ヘルペスウィルス、慢性肺炎、流行性感冒、皮膚炎等である。ＨＩＶに感染した患者の大部分は、一旦病状が安静化している間もＨＩＶの複製が絶え間なく継続するので、ＣＤ４Ｔ細胞の数が時間の経過につれて減少し、最後には僅かなＣＤ４Ｔ細胞しか残らない。薬剤は短時間内にはＨＩＶの複製を抑制してＣＤ４Ｔ細胞の数も少し増えるが、最終的には後天性免疫欠乏総合症により死亡する。科学者は優れたワクチンの開発に努力しているがまだ完成していない。
【０００４】
癌も難病の一つである。薬で癌細胞を殺しつつ正常な細胞だけを残すことは不可能である。研究結果によれば、Ｔ細胞が腫瘍免疫に関係するため、癌の治療を改善するには先ず、変異蛋白質が患者の体内で毒性Ｔ細胞を誘導しないようにするメカニズムを解明しなければならない。この研究が免疫学者の最大の挑戦である。なぜなら、変異蛋白質は腫瘍の特異抗原のみならず、癌の原因でもある。ワクチンを基礎とした腫瘍抗原はＴ細胞による癌免疫治療の理想的方向であって、優れた治療目標である。腫瘍が共有する主要な抗原から抗原特異性ワクチンが作られ、これは確実で理想的なＴ細胞を仲介物質とする免疫治療剤である。だが、ワクチンを作成するための腫瘍の共同抗原を特定するには時間がかかるため、まだ成功していない。
【０００５】
適応性免疫系統が自身の抗原に作用して組織に傷害を引き起こす疾患を、自己免疫疾患と称する。自身の抗原又は自身の反応性Ｔ細胞が仲介物質として免疫反応に参加し、自身の抗原を含む細胞を直接攻撃して組織に傷害を生じさせ、免役複合物を生成する、または、局部に炎症を発生させる結果となる。Ｔ細胞が炎症発生と組織の破壊に直接参加するだけではなく、それ自体も自身の抗原の継続反応に必要な要素である。したがって、Ｂ細胞は維持抗原の特異性Ｔ細胞の持続作用に重要な抗原細胞である。自己免疫疾患を抑制するには、どのようにしてＴ細胞の認識する自身の抗原を特定するか、又、どのようにしてＴ細胞の活性化を制御するかの知見が必要である。
【０００６】
免役障害の疾患を治療する薬剤は三つに分けることができる。第一は、副腎皮質ステロイド系の抗炎剤で、プレドニゾンと抗ヒスタミン剤がある。第二は、細胞毒性剤で、アザチオプリンとシクロフォスファミドがある。第三は、Ｔ細胞内信号伝導を抑制するカビ又は細菌の誘導物で、シクロスポリンＡとラパマイシンがある。
これらの抗炎剤は、免疫系統を抑制することができるが、同時に傷害も生ずる。副腎皮質ステロイド類の作用は抗炎だが、数多くの重篤な副作用を生じ、例えば体内の水分滞留、体重の増加、糖尿病、骨粗しょう症、皮膚の厚さが薄くなる、等である。副腎皮質ステロイド類の使用により、自身のホルモン機能が衰え、自身の免役機能も衰える結果になる。細胞毒性剤は、細胞を殺すことで免疫抑制効果を発揮するが、免役機能の衰え、貧血、腸道上皮細胞の傷害、脱毛、胎児障害又は死亡等の副作用を生じる。カビ又は細菌の誘導物剤は腎臓及びその他の器官を傷害するだけではなく、その治療費用も高い。この薬剤は複合天然物薬剤なので製造が容易でないうえに、長期服用が必須であるから、不便である。
【０００７】
ヒスタミンはアレルギー反応の際常に傷害を引き起こす分泌物の一つである。それは強力な且つ多くの生理反応の伝達物質である。ヒスチヂンから酵素による脱二酸化炭素を経てヒスタミンになるから、生物アミンに由来するといっても良い。無活性な形で、肥満細胞、異染性微小体、好酸球、好塩基球等の内部にあり、人体のあらゆる器官の組織と体液に分布している。一旦、肥満細胞、異染性微小体、好酸球、好塩基球等が抗原による刺激を受けると、大量のヒスタミン及びその他の物質を爆発的に放出する。この放出過程で、ヒスタミンの作用により、あらゆる器官と組織に多くの生理と病理反応を引き起こし、血管壁を拡大させ、血液が近傍の組織に流入する。この反応の結果として、通常使用される血管の血液が尽き、周知のヒスタミン中毒又はヒスタミン・ショックを引き起こす。
【０００８】
過敏症の枯草熱、関節炎、パーキンソン病等を治療するには、普通、抗ヒスタミン剤が良く使われる。それは、鼻水、くしゃみを緩和し、結膜炎や呼吸困難もある程度和らげ、また痒みと食物アレルギーによる瘍腫（発疹）も和らげる。化学的観点からは、抗ヒスタミン薬剤は多数あるが、一種類の抗ヒスタミン剤であらゆるアレルギー症を治療することはできず、また、他人に効く薬が別の人にも効くとは限らない。副作用としては、めまい、昏睡、注意力の集中ができないこと等が挙げられる。したがって、抗ヒスタミン剤を投与した人は、飲酒や、車の運転等の注意力の集中が必要な作業をしてはならない。そのため、抗ヒスタミン剤の効果には疑問がある。また、伝統的な抗ヒスタミン剤は、肥満細胞、異染色性微小体、好酸球、好塩基球等から体液に放出されたヒスタミンを中和することができず、血管の透過性を完全に下げることもできず、炎症の抑制ができず、細胞の免疫力を増強することができない。これらが伝統的な抗ヒスタミン剤の欠点である。
【０００９】
抗ヒスタミン剤がヒスタミンの受容器ＴＨ１を抑制すれば、肥満細胞、好酸球から放出されたヒスタミンによる蕁麻疹を治療することができる。伝統的な抗ヒスタミン剤はアミン化合物からなる。周知のようにアミンは高塩基性で、人体に毒性があり、胃腸に傷害を来たし、水に溶けにくい等の問題があり、本来、薬剤として適当ではない。化学者が有機酸や無機酸をもってアミンと反応させてアミン塩を製造し、アミンの傷害性を減らし、またその溶解性も高めた。塩酸がよく使用される無機酸であるが、有機酸であれば、マレイン酸、フマル酸、酒石酸、クエン酸、リンゴ酸、タンニン酸、コハク酸等がある。
【００１０】
例えば、抗ヒスタミン剤のジフェンヒドラミン系とクロルフェニラミン系を例として説明する。それらの製造は、塩酸をジフェンヒドラミンと反応させればジフェンヒドラミンの塩酸塩化合物ができ、塩酸をクロルフェニラミンと反応させればクロルフェニラミンの塩酸塩化合物ができる。同様に、その他の例としては、マレイン酸、クエン酸、タンニン酸、サルチル酸、リンゴ酸等の有機酸をアミンと中和反応させれば、それぞれの生成物質はクロルフェニラミン・マレイン酸塩、ジフェンヒドラミン・クエン酸塩、ジフェンヒドラミン・タンニン酸塩、ジフェンヒドラミン・サルチル酸塩、クロルフェニラミン・リンゴ酸塩となる。これらの伝統的な抗ヒスタミン剤に含まれる酸成分、例えば、塩酸、マレイン酸、酒石酸、クエン酸、リンゴ酸、タンニン酸、サルチル酸等は、単なる修飾剤であって、アミンの傷害性を減らし、その溶解性を高めるに過ぎない。これが、アレルギー疾患治療のための伝統的な抗ヒスタミン剤の由来である。
【００１１】
日常生活における中毒としては、食中毒と虫刺され中毒が有る。前者は病原菌を含む又は腐敗した食品を食べることで引き起こされる病原菌毒素による中毒であって、後者は昆虫に刺され毒素を注入されることによる中毒である。これらの中毒も激烈な免疫反応を起こすので、免疫疾患の一つといえる。食中毒の治療には、抗毒素と抗毒血清を用いる。抗毒素と抗毒血清類毒素（例えば、ジフテリア、破傷風菌毒素）又は血清（例えば、蛇、有毒蜘蛛）の製造は、動物にワクチン接種を繰り返して得たものので、大量の抗体を含む。したがって、人体に使用する時には、先ずアレルギー検査をし、特殊なアレルギー病歴のないことを確かめたときだけに使うことができる点が、欠点である。
【００１２】
以上、様々な免疫疾患の治療の現状と薬剤の欠点を説明したが、本発明者は研究の結果、ついにこの発明を完成した。
【発明の開示】
【００１３】
本発明者は研究の結果、以下の知見を得た。すなわち、免疫生理のメカニズムから見ると、個人の免疫能力を維持するには、先ずマクロファージ、Ｔ細胞、Ｂ細胞らが正常に動作する低ｐＨ値環境を確保する、つまり、体液が酸性であるという条件を満たすことが必要である。すなわち、体液のｐＨ値を低くすることが非常に重要である。その理由を以下に述べる。
【００１４】
１、免疫系統の補体は血しょう蛋白質系統であって、病原体と結合して目印を形成し、マクロファージがその目印を認識して病原体を殺し、Ｔリンパ細胞も活性化する。補体は異なる種類の血しょう蛋白質系統を大量に補充して、相互作用によって病原体を殺し、同時に発炎反応を引き起こして感染に対抗することを助ける。補体蛋白は蛋白酵素なので、蛋白酵素の分裂作用によって自身を活性化する。この蛋白酵素は、活性化する前はプロエンザイムとして細胞に蓄えられ、酸性の環境でのみ活性化する。（Frank，S．T．，and Nealis，A．S．，Immunol．Today １２、３２２〜３２６，１９９１；Todd，J．A．，and Steinman，L．，Curr．Opin．Immunol．５，８３〜８９，１９９３）。したがって、補体が機能を発揮するためには、酸性条件が必要条件である。
【００１５】
２、細胞嚢胞内の病原体に対して免疫作用を行うメカニズムは、先ず病原体をMHC IIと結合してCD４T細胞に提示し、提示された細胞の影響でCD４T細胞を活性化し、細胞内嚢胞内の病原体と寄生虫を殺すことであって、その際に細胞嚢胞内のｐＨ値が低いことが条件である。（Chapman，H．M．，Curr．Opi．Immunol．１０，９３〜１０２，１９９８;Pietes，J．，Adv．Immunol．Curr．Opin．Immunol７５，l５９〜２０８，２０００）。ゆえに、CD４T細胞を活性化して細胞嚢胞内の細菌と寄生虫を殺すためには、細胞嚢胞内のｐＨ値が酸性であることが必要条件である。
【００１６】
３、細胞外の病原体と毒素に対して免疫作用を行うメカニズムには、先ず病原体をMHC II と結合してCD４T細胞に呈示し、呈示された細胞の影響によりB細胞を活性化し、Ｉgを分泌して細胞外の病原体と毒素を排除する。その際に、細胞嚢胞のｐＨ値が酸性であることが必要条件である。（Morrison，L．A．etal．，J．Exp．Med．１６３，９０３，１９６８；Paulnock，D．M．Curr．Opin．Immunol４，３４４〜３４９，l９９２）。ゆえに、細胞外の病原体と毒素を排除するためには、細胞内嚢胞のｐＨ値が酸性であることが必要条件である。
【００１７】
４、病原分枝マイコバクテリアの微生物は細胞内寄生性病原体であって、主にマクロファージ内のファゴリソソームの中に存在し、抗体や細胞毒性T細胞との反応を避ける事ができる。なぜなら、この微生物がファゴリソソームの細胞内融合を防ぐ、又は細胞内嚢胞の酸性化作用を抑制するからである。リソゾーム・プロテアーゼが免疫機能を発揮するには、この酸性化作用に依る活性化が必要である。微生物を除去するためには、TH１細胞がマクロファージを低ｐＨ値条件下で活性化しなければならない。
【００１８】
細胞質内の病原体の処理については、まずMHC Iを病毒の外膜と結合して細胞傷害CD８T細胞に呈示する。プロテアーゼ反応を利用してアスパラギンをアスパラギン酸に置換する。その後、膜上又は分泌型プロテイン上のアスパラチル基と結合する炭化水素化合物を細胞内から排除する。アスパラギナーゼの加水分解は酸性条件で行うことが必須である。
【００１９】
細胞が癌の発生に転化する際、常にMHC I分子の大量減少が生じる。例えば、アデノウイルス−１２に感染した細胞は、その癌遺伝子の変化と抗原処理伝送因子（TAP−１&TAP−２）の不足によって、MHC Iの高度の減少が起こる。乳腺癌についていえば、約６０％の転移性腫瘍患者でMHC Ｉが少ない。（York，I．A．，etal．，Immunol．Rev．，１７２，４９−６６，１９９９）。
【００２０】
５、細胞が突然変異する際、常にMHC I分子が大量減少又は発現しないので、癌細胞の転移能力が増強し、癌細胞がT細胞に攻撃されるチャンスは少なくなる。したがって、癌防止の基本条件として、補体の大量生産が必要である。すなわち、低ｐＨ値の問題である。（Niedermann，G．，et al．，Immunol．Rev．１７２，２９〜４８，１９９９；Charles A．J．，Immunobiology ５ed，１６１〜１７９，Garland and Publishing，NY，２００１）。
【００２１】
６、有機体が呼吸する際に、約２％の酸素がスーパーオキシド・アニオンに変わる。スーパーオキシド・アニオンの活性は非常に活発なので、蛋白質、糖、脂肪酸、核酸等と反応して細胞の正常な構造を破壊し、またその正常な機能を攪乱する。癌、高血圧等の心血管疾患、アルツハィマー病、痴呆、老人免疫不全、白内障、パーキンソン病、糖尿病、関節炎、炎症、老化等の自己免疫疾患の傷害を引き起こす。この種類の病気はみな、フリーラジカルによる傷害と関係する。（Harman，D．，Age ７，１１１〜１３１，１９８４）。
【００２２】
フリーラジカル傷害を防止する方法として抗酸化剤がよく使われる。つまりスーパオキシド・ジスムターゼ（SOD）、グルタチオン・ペルオキシターゼ（GPX）とトリペプチド・グルタチオン（GSH）等のアンチオキシターゼである。この酵素は次に述べるようにフリーラジカルの破壊を助ける。
【００２３】
化学反応の観点からは、フリーラジカル、特に酸素フリーラジカルの生成はアルカリ性環境だけであり、酸性環境ではありえない。何故なら、酸性のとき酸素フリーラジカルは陽子つまり水素イオンによって分解される。したがって、本発明の薬剤は、フリーラジカルを除去する優れた抗フリーラジカル剤である。
【００２４】
７、人間の生理と密接な関係を持つ活性ペプチドには、SOD、アヘン類ペプチド（OP）、免疫活性ペプチド、抗高血圧ペプチド（AP）、すなわちアンギオテンシン転換化酵素抑制因子（ACEI）、アンチトロンボチック・ペプチド（ATP）、鉱性物質結合ペプチド、カゼイン・フォスフォペプチド（CPP）等がある。それらの形成は低ｐＨ値の蛋白質分解によるものなので、その活性の発現には低ｐH値条件が必須である。
【００２５】
例えば、SODがフリーラジカルを掴む反応は酸性条件で進行し、酸性条件でなければ反応の方程式が右へ進まず、最終的に酸素フリーラジカルを除去する事ができない。反応の方程式は次のとおりである。
【００２６】
0005937291.tif 000002
【００２７】
本発明の薬剤は、様々な病気の治療と予防に広範の良い効果を示す。その理由は、本発明の薬剤がフリーラジカルを体内から除去することができるからである。フリーラジカルが全ての病気の根本的原因であれば、フリーラジカルを除去すれば病気にかからない。
【００２８】
血管緊張素転化酵素抑制剤（ACEI）即ちACE抑制ペプチドは抗高血圧ペプチドであり、その構造が活性になる必要条件は、Ｃ−端にあるアルギニンとリシンのＣ−端にあるアミノ基に陽電荷があることであり、それが実際に抑制作用の機能を表すものである。CPPがカルシウムに親和性を持つのは、リン酸・セリン酸基の高度な分極と酸性領域にリン酸カルシウム（コロイド）が安定になるからである。アミノ酸残基が理化的性質の影響、特にイオンとの結合力は、酸性によって決定する。したがって、本発明の薬剤は高血圧の予防と抑制の機能を高める効果を有する。
【００２９】
体内組織にはアラキドン酸（AA）がリポキシゲナーゼ（LO）の作用を受けて１２−コサテトラエン酸（１２−HETE）と無色トリエン酸（LT）等のオキシ誘導体を生ずる。それらはアレルギーと炎症を引き起こす。AAを経てシクロキシゲナーゼ（CO）の作用により、プロスタサクイリン（PGX・PGI２），トロンボキサン（TxA２）、PGA２、PGE２等の物質を生ずる。１２−HETEは人体の微小体細胞を活性化する作用を有する（Siegel，M．I．etal，Proc．Natl．Acad．Sci．，７７，３０８−３１２，１９８０）。５−HETEは遅延型アレルギー反応物質（SRS）の前駆物質であって、リポキシゲナーゼを抑制できれば、炎症とアレルギーも抑制できる筈である。動物性や植物性のリポキシゲナーゼは生化学的な活性を有する。植物のリポキシゲナーゼを抑制できる抑制剤であれば、血液の血小板又は白血球から誘導するリポキシゲナーゼをも抑制できることが証明されている（Baumann，J．，etal．，Prostaglandins：２０，６２７〜６３９，１９８０）。
【００３０】
AAからLOの作用によりプロスタサクイリン（PGX・PGI２）と前列凝素（TxA２）を生成する過程において、LOの作用は前列腺の代謝との深い関係がある。この関係は抗酸化剤の保護作用である。脂質の過酸化反応には僅かな量の水酸化物質が酵素の活性部にあたる鉄（３）血紅素と互いに反応を起こし、酸素のフリーラジカルを生ずる。このフリーラジカルはAAから一つの水素原子をもぎ取って、反応するのを促進する。だから予めフリーラジカルを除けば、AAからTxA２に生成するカスケード反応を防ぐことができる。非ステロイド類抗炎剤であるアスピリンの作用のように、シクロキシゲナーゼの活性を抑制して血小板の凝集力を抑制する（Chau, K. Z., Oxygen free radical and clinic, ３７〜４０, Hou Ki publisher Taipei, Taiwan, ２００３）。
【００３１】
血管が傷つけられた時、複雑な相互作用によって、凝集のカスケード反応が展開し、血小板を活性化して栓子と血栓が生成される。AA由来のTxA２が血液へ入ると、止血小栓子を速く生成するのに重要な固まりの生成作用を生じる。
【００３２】
本発明の薬剤はシクロキシゲナーゼの活性を抑制でき、前列腺素の生成過程も抑制される。したがって、栓子と血栓の生成による脳卒中の脳出血と心筋梗塞などの心血管疾患を排除することができる。何故なら、血小板から放出される前列腺凝素が血小板に凝集のメッセージを与え、それは最初に血の固まりを生成するからである。したがって、前列腺素又はシクロキシゲナーゼの活性を抑制することができれば、あらゆる前列腺素の生物合成を抑制でき、最終的には血栓の生成をなくすことができる。
【００３３】
人体が正常の時には先天的な免疫力を有するが、体力が落ちた時には免疫力を失う。この免疫力を取り戻すために，最も重要かつ根本的な方法は免疫生理のメカニズムに従うことである。正常に動作する環境を確保することである。即ち、体液の低ｐＨ値を保つことが必要な条件である。前に述べた通り、体液が酸性に乏しい場合には、免疫の生理機能を行うことができないからである。本発明者の研究の結果、天然の食用酸又は酸性塩は、体液のｐＨ値を下げることができ、補体の生産量を高め、マクロファージ、CD４T細胞、B細胞等の作用力を高め、又は免疫力を回復する効果を発揮することを発見した。この発明の完成は、長い間解決できなかった数々の免疫病を解決した。
【００３４】
食中毒または昆虫の毒液、例えば蜘蛛等の昆虫に刺されて起きた中毒の治療は、体内の免疫を保護する問題である。免疫の問題であるから、本発明の薬剤はこの病気を治療し人体を保護することができる。酸性を高くして滅菌し、毒性を中和し、免疫力を高める。毒素の大部分は蛋白質であって、本発明の薬剤をもって毒素を変性し、又は中和することができる。
【００３５】
唾液も体液の一つであって普通のｐＨ値は６.８あたりを示す。試験をするために、一人の男性が歯を磨いた後で７００ｍｇのクエン酸を投与し、その後、時間の変化にしたがって唾液のｐＨ値を測った結果を表１に示す。ｐＨ値が下がり、６０分後に最低値に達し、１２０分後に元の値に戻った。
【００３６】
〔表１〕唾液が各ｐＨ値の酸によって受けた影響
【表１】
0005937291.tif 000003
【００３７】
酸性物質が体内に入ると、人体の生理的な機能によって尿と唾液のｐＨ値が変化するが、血液は体内のバッファ作用によって直ぐに中性あたりに戻る。骨からカルシウム・イオンを遊離して中和を行い、余った水素イオンが酸性相関反応に関係するが、カルシウム・イオンは免疫信号の伝達をし、かつカルシニューリンの活性化を促す。本発明の薬剤は代謝後体に吸収されて何も残らない。
【００３８】
過敏反応の結果、体の各々の器官が重篤な炎症を引き起こす。本発明の薬剤は、体液のｐＨ値を下げ、免疫疾患を治療又は緩和する効果を有し、炎症を抑制する効果が高いので、抗炎剤に最適である。
【００３９】
そこで、本発明は、活性成分としての有効量の食用酸及び／又はその酸性塩と薬学的に許容される添加剤からなる、体液のｐＨ値を下げ免疫疾患を緩和又は治療する薬剤組成物を提供する。
【００４０】
本発明は、食用酸及び／又はその酸性塩を活性成分とし、体液のｐＨ値を下げて免疫疾患を緩和又は治療する薬剤組成物の使用を提供する。
【００４１】
また、本発明は、食用酸及び／又はその酸性塩、又は食用酸及び／又はその酸性塩を含む酸性果実又はその製品を、個人の免疫力を改善する食品、飲料、または保健品の使用を提供する。
【００４２】
また、本発明は、食用酸及び／又はその酸性塩で食品を処理して、食品のアレルギーリスクを下げる食品の製造方法を提供する。
【００４３】
本発明は、活性成分として有効量の食用酸及び／又はその酸性塩と、薬学的に許容される添加剤からなる、体液のｐＨ値を下げ食中毒と虫刺され中毒の病気を治療する薬剤組成物を提供する。
【００４４】
本発明は、活性成分として有効量の食用酸及び／又はその酸性塩を含み、体液のｐＨ値を下げる抗炎薬剤組成物を提供する。
【００４５】
本発明は、活性成分として有効量の食用酸及び／又はその酸性塩を含み、体液のｐＨ値を下げて感冒薬剤組成物、入浴用薬剤組成物、頭のフケの治療薬剤組成物、皮膚と接触する衣類を処理する薬剤組成物とその処理物、経皮吸収薬剤組成物、心血管血栓の防止の薬剤組成物、フリーラジカルを除去する薬剤組成物，鎮痛薬剤組成物を提供する。
【００４６】
本発明その他に関しては、上記の範囲に記載していないとしても、以下の説明、実例、及び特許請求の範囲に示す各項に基づき、普通の技術者であれば容易に理解することができるであろう。
【００４７】
本発明の薬剤の成分は食用酸またはその酸性塩であるから、人体に対しては完全無毒である。また、本発明は、もっとも基本的な体内フリーラジカルの除去と免疫生理のメカニズムによる作用を奏するものであって、抗ヒスタミン剤のようにある一種類だけの受容器を防ぐものではない。これは、本発明の薬剤と普通の化学薬剤で治療する方法との最大の違いであリ、本発明の特徴である。本発明の薬剤の成分の食用酸またはその酸性塩は、マクロファージ、好酸性細胞、好塩基性細胞などから遊離するヒスタミンを結合し、また、受容器を封ずることもできる。なお、本発明の薬剤は、体液と細胞の酸性を高め、補体の生産を高め、マクロファージ、CD４T細胞、B細胞などの免疫を高め、免疫機能を回復し、抗炎と鎮痛をし、血管の透過性を下げる。抗ヒスタミン剤のような伝統的薬剤の治療メカニズムは、体内のヒスタミンと争ってヒスタミン受容器とを反応して、ヒスタミンをヒスタミン受容器と反応させないようにすることである。もし、抗ヒスタミン剤が先にヒスタミン受容器と反応しないなら無用になり、マクロファージ、好酸性細胞、好塩基性細胞などからヒスタミンを遊離することを抑制できない。したがって、重篤なアレルギー患者の治療には抗ヒスタミン剤を使用せず、先ずエピネフリンを使う。伝統的な抗ヒスタミン剤でアレルギー抗原の反応を防ぐには、一日中抗ヒスタミン剤を投与しなければならない。そのため、患者は２４時間抗ヒスタミン剤の副作用を受けなければならない。本発明の薬剤は、アミンを含まないため、伝統的な抗ヒスタミン剤の様な副作用はない。更に、本発明の薬剤の成分は、人体の代謝の成分であるから、代謝後エネルギーに変わり、細胞の免疫作用の活力になる。本発明の薬剤は、優れた抗酸化剤であってフリーラジカルを有効的に除去し、人体の免疫力を高め、病気を防ぐ。これらの特徴は伝統的薬剤にはない。
【００４８】
ペニシリン等がアナフィラキシーを発生し易い理由は、ペニシリンのβ−ラクタム環が人体の蛋白質のアミノ酸と共有結合することである。この様に修飾したペニシリン自身のペプタイドは、ある媒体に依りTH２の反応を引き起こす。したがって、ペニシリンと結合したB細胞を活性化して、ペニシリン半抗原と反応するIgE抗体を造る。ペニシリンがB細胞の抗原となり又は修飾オートペプタイドがT細胞の抗原になる。この様に、肥満細胞表面にあるIgEが互いに結合し、アレルギー反応を引き起こしてアナフィラキシーとなる。本発明の薬剤をペニシリンと一緒に投与すれば、アナフィラキシーを防ぐことができる。同じ原理により、ワクチン接種の時に本発明の薬剤を配合すれば、ワクチン接種に依る死亡事件も少なくなる。防止方法としては、本発明の薬剤を配合して同時に投与する、先に投与する、後で投与するなどの方法がある。
【００４９】
本発明の薬剤は、天然の食用酸及び酸性塩の成分を含むので、大量に投与することができ、その他の食品や薬品と配合し、又は、食品の加工際その表面に処理することができる。
【００５０】
本発明に使用できる食用酸及び酸性塩には、任意の組み合わせが可能である。リン酸のような無機酸及びその酸性塩でもよく、有機酸及びその酸性塩でもよい。リン酸及びその酸性塩には、例えばリン酸、リン酸二水素ナトリウム、リン酸二水素カリウム、リン酸水素二ナトリウム、リン酸水素二カリウムを含む。有機酸及びその酸性塩には、フマル酸、コハク酸, α−オキシ酸、リンゴ酸、酒石酸、クエン酸、乳酸、α−オキシオクタン酸、グルコンラクトン酸、グリコール酸、酸性クエン酸塩、クエン酸二水素ナトリウム、クエン酸二水素カリウム、クエン酸水素二ナトリウム、クエン酸水素二カリウム、酸性コハク酸塩、コハク酸水素ナトリウム, コハク酸水素カリウム,酒石酸水素ナトリウム、酒石酸水素カリウム、リンゴ酸水素ナトリウム酸、リンゴ酸水素カリウム、フマル酸水素ナトリウム、フマル酸水素カリウム、ベータ酸及び、その混合物等であり、免疫病を治療し治癒するのに良い効果がある。
【００５１】
本発明の薬剤はアメリカ食品医薬品局で普通級（ＧＲＡＳ）と扱われ、毒性の問題がない。注射剤を病巣（腫瘍等）に注入する際には小量を使用するが、その他は個人の耐酸性と体質の違いに従うだけで、投与量はあまり限定されない。普通の薬品に比べて投与範囲が大きく、通常の薬用量は０.１〜３００ｍｇ／ｋｇ／dayだが、特別な場合には、その薬用量を増やすことができる。薬剤の調製には、既知の製薬方法に従い、又は、他の薬剤と調合する。
【００５２】
本発明の薬剤の胃腸外投与は筋肉、皮下、静脈、動脈、関節内、腸内、腫瘤内注射、鼻腔（吸入とゾル）など、及び体外用である。
【００５３】
非経口薬の体外薬剤の調製には、伝統的な製薬方法に従い、例えば、液体、ペースト、ゾル、スプレー、チンキ、皮膚貼用剤等がある。液体の溶剤は水、アルコール、及びその他のアルコールである。
【００５４】
注射剤の製造は無菌室にて滅菌水を持って調整し，等張力溶液にするために砂糖と塩をよく使用する。溶剤には水のほかに、エチレングリコールとポリオール類、例えばグリセリン、プロパンチオール、液体ポリエチレングリコールとその混合物も使える。真空乾燥法で粉末にするのが理想的である。
【００５５】
本発明の薬剤が経口薬である時、活性成分でないもの、例えば稀釈剤、キャリヤ、甘味料、香料、ハーブ、食品、その他の栄養品、その混合物、及び、製薬に許容される物質等を含む事ができる。
【００５６】
経口薬の形はカプセル、錠、プレート、顆粒、散剤、丸剤、口錠剤、シロップ、薬液、懸濁、食品に混ぜるなどがある。
【００５７】
本発明の食用酸及び酸性塩活性成分をクッキー、ケーキ、キャンディ、チューインガム、缶詰、乳製品、ピーナツ製品、飲料、プリン、卵製品、料理と混ぜる、その他食品の加工において、被覆または混ぜることができる。その際、食用酸及び／又はその酸性塩の含有量は、成るべく０.０６〜１０重量％、好ましくは０.１〜７重量％、更に好ましくは０.２〜４重量％、最も好ましくは０.３〜２重量％である（以下、表５の実施例で検証する）。
【００５８】
本発明の食用酸及び酸性塩活性成分は、飲料、例えば果汁、酒（果実酒、ウィスキー、ブランディ、清酒、ビール、薬酒）、清涼飲料、炭酸飲料、スポーツ飲料、機能性飲料、コーヒー、コーラ、サルサ、乳製品例えば発酵乳製品、薬液などに製造することができる。その時食用酸及び／又はその酸性塩の含有量が成るべく０.０６〜１０重量％、好ましくは０.１〜７重量％、更に好ましくは０.２〜４重量％、最も好ましくは０.３〜２重量％である（以下、表５の実施例で検証する）。
【００５９】
本発明の食用酸及び酸性塩活性成分を有しつつ、食品の活性蛋白質を変性するように処理する。その量は活性蛋白質を変性化する化学当量以上である。
【００６０】
本発明の食用酸及び酸性塩活性成分を持って、皮膚と接触する物質例えば手袋、衣類の表面を処理し、表面にあるアレルギー原又は蛋白質を変性するように皮膚に対するアレルギーリスクを下げる事ができる。
【００６１】
同様に、シップやサロンパスなどの皮膚吸収薬剤は、ゴムをベースとするが、皮膚にアレルギーを引き起こす。普通は、サルチル酸や抗ヒスタミン剤を添加してアレルギーを防ぐ。しかし、サルチル酸は腎臓を傷害し、抗ヒスタミン剤にも前に述べた欠点がある。食用酸及び酸性塩が抗炎、抗アレルギーの特性があるほか、皮膚も活性して薬剤の吸収にも役立つ。
【００６２】
本発明の食用酸及び酸性塩が抗炎、抗アレルギーの作用があるのでふけや痒みなど頭皮の病気の予防剤、例えば洗髪剤、へアトニックにも効果がある。アルカリ性洗髪剤で洗うと頭皮がアルカリ性になって細菌が繁殖し易い環境となる。毛嚢の所に発炎したらふけと痒みのもとになる。本発明の食用酸及び酸性塩が良い抑制効果を示す。
【００６３】
本発明の食用酸及び酸性塩は抗炎、抗アレルギーの作用があるので、同様の心血管血栓の予防と治療剤にもなる。
【００６４】
本発明の経口薬剤、食品、又は飲料には、活性成分の外に結合剤、例えばでんぷん、グリセリン、ポリエチレンピロリドン、アクリル酸・イソボルネオール・コポリマ、アクリル酸−２−エチルカプロイル、CaーCMC、CMC、ゼラチン、グルキヤン、アラビヤゴム、トランドンゴム；濃厚剤、例えばプロピレングリコル、アルギ酸ナトリウム；軟化材、例えばD.B.P; 分散剤例えば炭酸カルシウム、ポリエチレン、スデアアルコール、流動パラフィン；乳化剤例えばSpanー６０; 防腐剤、例えばパラオキシ安息香酸エチル；潤滑剤、例えばスデアリン酸マグネシウム、タルク粉；酵素、例えばパパイン、プロメリン、フィシン；甘味料、例えば砂糖、グルコース、黒砂糖、あめ、シロップ、蜂蜜、果糖、マルトーゼ、ラクトーゼ、オリゴマ、香料、例えばペパーミント、はっか油、緑油、イチゴ油、イソ吉草酸エチル、ブチル酸イソアミル、ココアエキス；色素、例えばカラメル、葉緑素；ハーブ、例えば、ガンビール、大蒜、葱、白党参、玉竹、桂皮、川牛漆、川キュウ、韮、生姜、当帰、甘草、黄シー、杏仁、朝鮮ニンジン、熟地、何烏首、貝母、白ジュク、法半夏、陳皮、アスパアラ、ソシ、生地黄、紫蘇、知母、白介子、桑白皮、百合花、コーヒー、お茶等の粉、又は其の混合物;その他の栄養品、例えばミネラル、ビタミン、乳製品、ピーナツ製品;及び其の任意の混合物などを含むことができる。
【００６５】
本発明の食用酸及び酸性塩の活性成分を０．３％以上含む酸性果物、例えばミカン、レモン、うめ、グレープフルーツ、ぶどう、リンゴ、スターフルーツ、イチゴ、パイナップルなども直接薬剤となるし、果物から加工した製品で食用酸及び酸性塩の活性成分を成るべく０.０６％以上、更に望ましくは０.３％以上を含む物も同様に使える。
【００６６】
本発明の薬剤を食品の形に作る場合、その食品を食べる量によって薬剤の投与量に大きい影響を与える。同じ投与量であれば、本発明の薬剤を含む量が低い食品なら、より多く食品を食べなければならない。薬用量が３００ｍｇ／doseとして説明する。患者一回の飲む量が５００ｍｌ又は５００gとしたら、３００ｍｇ／doseは５００gの０.０６％に相当する。同じ様に２５０ｍｌ又は２５０gとしたら、３００ｍｇは２５０gの０.１２％に相当する。患者が薬を飲むには約１００ｍｌ又は１００gのお湯を飲むから、３００ｍｇは１００gの０. ３％に相当する。
【００６７】
これに基づき、本発明の薬剤の食用酸及び酸性塩の活性成分の量は成るべく０.０６重量％〜１００重量％、好ましくは０.１重量％〜１００重量％、更に好ましくは０.２重量％〜１００重量％、最も好ましくは０.３重量％〜１００重量％である（表４の実施例で検証する）。
【００６８】
本発明の薬剤は個人の免疫力を改善する食品、料理、飲料、又は保健品の形にした場合、食用酸及び酸性塩の活性成分の量は成るべく０.０６重量％〜１０重量％、可は０.１重量％〜７重量％、良いのは０.２重量％〜４重量％、最も良いのは０.３重量％〜２重量％（食品、飲料、保健品の総量で計算する）である。
【００６９】
本発明の食用酸及び／又はその酸性塩は、食品に加工することができる。所謂アレルギー食品とは、例えばミルク、粉ミルクなどの食品に活性な蛋白質含み、その活性な蛋白質が食べた人にアレルギーを引き起こす食品と言う。活性な蛋白質を活性でない蛋白質にすればアレルギーが起こらない。食品を本発明の食用酸及び／又はその酸性塩で処理して、その活性な蛋白質を変性したら食品のアレルギーを防ぐことができる。その食用酸及び酸性塩の活性成分の濃度は、成るべく０.０６重量％〜１０重量％、好ましくは０.１重量％〜７重量％、更に好ましくは０.２重量％〜４重量％、最も好ましくは０.３重量％〜２重量％である。
【００７０】
海産物を加工するとき、本発明の薬剤を適当な量添加すれば、海産物にアレルギーし易い人にとって大変有り難いことである。アレルギーし易い人は海産物を食べられない。海産物は高い不飽和脂肪酸を含むので、空気中の酸素で酸化しやすい。本発明の薬剤は抗酸化剤なので、それを添加することにより魚の品質が保存される。これも本発明のもうひとつの特徴である。
【００７１】
本発明の薬剤の治療効果は、酸基の数が多い方が大きい。クエン酸を例として見ればその効果の順序は次の通りである。
クエン酸＞二水素クエン酸塩＞一水素クエン酸塩
【００７２】
本発明に述べた「個体」は、脊髄動物で特に哺乳動物、更に好ましくは「人間」である。
以下の実施例は本発明の精神を表すが、本発明の説明だけで発明の範囲を限定するものではない。
【実施例】
【００７３】
実施例１〜２９：抗アレルギー反応
４８／８０化合物はアルカリ性のポリアミン（Sigma，ST．MO，USA）を抗原として、マクロファージ等の細胞を刺激した後、本発明の薬剤とその他の薬剤を抑制剤とし、ヒスタミンの遊離に対する抑制効果を比較する。
【００７４】
（１）、鼠腹腔滲出細胞液の調製。
ウシ血清アルブミン０．１％を含んだロック液（Locke's solution：NaCl ９.１％，KCl０.２％，CaCl２０.１５，glucose １.０％，他は蒸溜水）１０ｍｌを放血致死せしめた鼠の腹腔に注射し、軽くマッサージした後開腹し腹腔液を採取した。さらに同液５ｍｌで腹腔内を洗浄した後該液を採取し先の腹腔液と混合した。該腹腔液を５００rpmで５分間遠心分離し、沈澱物に冷ロック液５ｍｌを加え洗浄した後、再度冷ロック液３ｍｌ加え鼠腹腔滲出細胞液とした。
【００７５】
（２）、４８／８０化合物由来の抗原によるヒスタミン遊離に対する薬物の抑制効果
上記で得た鼠腹腔滲出細胞液０.３ｍｌにロック液０.５ｍｌ及下記の表に示す濃度に調製した薬剤(各々薬剤を先ず、１％ NaHCO３を生理食塩水に溶解した後、ロック液で１００ｍｇ／ｍｌにうすめる)を１.０ｍｌ加え３７℃で５分間インキュベーションした。次いで４８／８０化合物のロック溶液（１ｍｇ/１００ｍｌ）を０.２ｍｌずつ加え３７℃で１０分間インキュベーションした。冷却することにより反応を停止させた後、２５００rpmで１０分間遠心分離し、１.７ｍｌの上澄部と０.３ｍｌの沈澱部に分離した。上澄部に水０.１ｍｌと１００％トリクロル酢酸０.２ｍｌを加え、沈澱部にロック液１．５ｍｌと１００％トリクロル酢酸０.２ｍｌを加え、室温で３０分間放置した後、３０００rpmで１５分間遠心分離した。上澄部及び沈澱部の各上澄を％０.３５ｍｌずつ取り、各各に水１．６５ｍｌ、１N水酸化ナトリム０.４ｍｌを順次加え、さらに０.５％OPT（オルトフタルアルデヒド）メタノール溶液０.１ｍｌを加え、４分間室温で反応させた。次いで２Mクエン酸０.２ｍｌを加え反応を停止させた後、それぞれの蛍光を蛍光光度計により測定した。
【００７６】
尚、コントロール（対照群）として、薬液の代わりにロック液を、ブランク（空白群）には薬液及び４８／８０化合物の代わりにロック液を加える以外、上記と同様に操作した。
【００７７】
ヒスタミン遊離率（％）をＡとし、上澄部の遊離ヒスタミン量（Ｈｓ）、沈査部の残存ヒスタミン量（Ｈｒ）とし、その両者の和を分母として、上澄部の遊離ヒスタミン量（Ｈｓ）を分子として、１００％を乗ずる。
【００７８】
すなわち：
ヒスタミン遊離率（％）＝{Hs／（Hs+Hr）}×１００％ = A
抑制率（％）＝１００−{（薬剤のA値−ブランクのA値）／（コントロールのA値−ブランクのA値）}×１００％
【００７９】
計算の結果は表２に示す通りである。
〔表２〕薬剤のヒスタミン抑制効果
【表２】
0005937291.tif 000004
【００８０】
表２のグリシルリチン酸トリナトリウム、塩酸ジフェンヒドラミン、クエン酸ジフェンヒドラミンなどは市販される抗ヒスタミン薬剤である。結果から分るようにヒスタミン遊離に対する抑制率が低い。本発明の薬剤は完全な抑制効果を示す。特に注意すべくことは、クエン酸とクエン酸ジフェンヒドラミンとの効果の比較である。前者は本発明の物だが後者は伝統的な抗ヒスタミン剤である。
【００８１】
抗ヒスタミンの効果は、同時に外来刺激に依る免疫機能から遊離する成分、例えば１２−HETE、LT、PGX、PGI２、TxA２、PGA２、PGE２等を抑制することができる。したがって、血栓の病気に罹らない。
【００８２】
実施例３５〜４５：抗遅延型アレルギー免疫反応の試験
体重２０〜３０gの鼠を用い，腹毛を剃った処にオキサゾロンのエタノール溶液（０.５w／v％）０.１ｍｌを塗って感作させた。感作して５日後オキサゾロンのアセトン溶液（０.５w／v％）に試験薬を溶かし、その溶液１０μlずつを右側耳介皮膚の両面に、マイクロピペット（１０μl）を用いて塗布した。２４時間後にエーテル麻酔死させ、薬剤塗布部位の耳介の一部分と左側(非塗布部) 耳介の対応部分をそれぞれ円型（直計５.５mm）にパンチ切除し、それぞれの重量を測定し、左側耳介片側重量を基準として、右側耳介の腫脹率を算出した。
【００８３】
腫脹抑制率（％）＝｛（薬剤塗布した右耳介の重量）ー（薬剤塗布しない左耳介の重量）｝／（薬剤塗布しない左耳介の重量）
【００８４】
尚、コントロール群にはオキサゾロンのアセトン溶液（０.５w／v％）を塗布した。結果は、コントロール群に対する膨張抑制率として表２に示した。
【００８５】
〔表３〕 腫脹抑制効果
【表３】
0005937291.tif 000005
表３から分る様に、伝統的な薬剤の抗炎効果は良くないが、本発明の薬剤は良い結果を得た。抗炎効果があれば同様に抗痛もできる。
【００８６】
実施例４６：海産物アレルギーの抑制試験
えびにアレルギー体質を持つ４５才の男は、幼時から海鮮類を敬遠して来た。えびを食べる前に本発明の薬剤のカプセル（５００ｍｇ、にんにく３０重量％、クエン酸７０重量％を含む）２を投与したが無事だった。２週間後、強力な伝統な抗アレルギー剤（グリシルリチン酸トリナトリウム１０８ｍｇ、オロチン酸６０ｍｇ、マレイン酸クロフェニラミン５ｍｇを含む，大豊製薬）２を投与した後、かに料理を食べた。間もなく重体な過敏発作を起こし、最終的に病院へ運ばれた。
【００８７】
実施例４７〜５２：感冒に対する薬剤濃度の試験
本発明の薬剤の錠剤やカプセルなどの経口薬の薬用量では、普通の錠数を増やせば一回の薬用量を増やす事ができる。しかし、薬剤が食物と混ぜてあったら，その一回の薬用量が食べた食物総量に制限される。であるから食物の有効薬剤含有濃度に一定の要求がある。飲料が１００ｍｌとして説明する。
６組の有効薬剤含有濃度はそれぞれ異なるが、各組の基本組成は同じであり、水１００ｍｌ、アルギン酸プロピレン０.１g、果糖１０g、蒜粉３００ｍｇ、姜粉１００ｍｇ、当帰粉１０ｍｇ、蜂蜜３g、杏仁粉１０ｍｇを含む。それから６種類量のリンゴ酸（１０ｍｇ、６０ｍｇ、１００ｍｇ、２００ｍｇ、３００ｍｇ、６００ｍｇ）を各組に加える。この６組の薬剤を６組（５人一組）の感冒患者に、二時間ずつ一回を投与させた。時間の経つにつれて、感冒の治る状態を観察し、その治る時間を記録した。結果は表４の通りである。
【００８８】
〔表４〕感冒に対する薬剤量の効果
【表４】
0005937291.tif 000006
よって、本発明の薬剤組成物の含有量はなるべく００６％〜１００％、好ましくは０.１％〜１００％、更に好ましくは０.２％〜１００％、最も好ましくは０.３％〜１００％である。本発明の薬剤組成物一回の薬用量の濃度範囲は、濃度が大きいほど投与薬用量が小さくなる。毒性のある薬の薬用量はよく（ｍｇ／day／ｋｇ）で標示するが、本発明の薬剤組成物は可食性なので一回に食べられる食物量、その食物に含む薬剤の濃度で表すのが適当であろう。
【００８９】
実施例５３〜６３：薬剤を含む食品の上限濃度の味覚試験
本発明の薬剤が食品、アレルギー性食品のアレルギーリスクを下げる食品又は健康食品であるとき、その薬剤の含む量は高いほどよいが、酸性が食品の風味を影響する。であるから、食品に対する薬剤の含量には制限がある。
【００９０】
２５０gのウーロン茶葉を８０℃のお湯で８３００ｍｌのお茶を作った。それに４２０gの砂糖を加えた後、１１組のコップにそれぞれ１００ｍｌのお茶を注ぎ、各組のコップに表４に示すリンゴ酸の量を加えた。６人に飲ませ、各組の風味を最優、優、良、可、不可に分けて評価した結果を人数で表したのが表５に示す通りである。
【００９１】
〔表５〕食品に対する薬剤量が味覚に及ぼす影響 
【表５】
0005937291.tif 000007
この結果から分るように、薬剤を含む食品の上限濃度は、可は１０％以下、良は７％以下、優は４％以下、最優は２％以下である。前記した薬剤含有濃度の感冒試験に決めた下限濃度と組み合わせると、食品に含む薬剤量の濃度は、成るべく０．０６〜１００％、好ましくは１．０〜１００％、更に好ましくは０．１〜１００％、最も好ましくは０．３〜１００％である。
【００９２】
実施例６４：みかん皮シロップ飲料
成分はみかん皮チンキ５０ｍｌ（エタノール６２％）、クエン酸５０g、タルク粉１５g、砂糖８５０g、蒸留水、総量１０００ｍｌである。
製造法は、先ず、みかん皮チンキ、クエン酸、タルク粉などに水４００ｍｌを加え、研磨機で均一にし、濾過した後に砂糖を加えて溶解した。最後に蒸留水を加え、総量を１０００ｍｌし、濾過と包装をした後製品とする。
【００９３】
実施例６５：注射剤
成分はクエン酸３６g、クエン酸二水素カリウム３４g、滅菌した水適量、総量は１０００ｍｌとする。
製造法は先ず無菌室でクエン酸とクエン酸二水素カリウムを滅菌した水溶かし、総量を１０００ｍｌとし、溶液を素焼陶のろ過器でろ過させた後、１０ｍｌのアンプルに充填してチッソ雰囲気のもとで溶封させた。それから高圧蒸気の滅菌工程を経て製品とする。
【００９４】
実施例６６：軟膏剤
成分は酒石酸１g、酒石酸水素カリウム０.５ｇ、形質流動パラフィン１０ｇ、ワセリン適量、総量は１００ｇとする。
製造法は通常の方法で研磨混合と調整包装を経て酒石酸１．５％の軟膏剤とした。
【００９５】
実施例６７：カプセル剤 
成分はクエン酸３５０ｇ、にんにく２００ｇ、しょうが５０ｇ、当帰１０ｇ、アーモンド１０ｇ、果糖３００ｇ。各成分を研磨混合した後、硬質なカプセルに充填して１０００個のカプセルをえた。
【００９６】
実施例６８：顆粒と錠剤
成分はマレイン酸３０ｇ、トウモロコシ・スターチ２０ｇ、乳糖２０ｇ、Ｃa−CMC ５g、ポリエチレン・ピロリトン５ｇ、タルク１０ｇである。
製造法は先ずマレイン酸、トウモロコシ・スターチ、乳糖を研磨して細い粉にし、それからポリエチレン・ピロリトンの５％水溶液を結合剤とし、常法に依って１〜２m／mの顆粒にした。
またタルクを潤滑剤とし、上記の顆粒を製錠機で錠状にして、マレイン酸３００ｍｇを含む１００個の錠剤とする。
【００９７】
実施例６９：散剤
成分はフマル酸５０ｇ、微結晶セルロース４００ｇ、トウモロコシ・スターチ５５０ｇ、総量を１０００ｇとする。
製造法は先ず、フマル酸を水に溶けた後、微結晶セルロースに吸収させ、乾燥した後トウモロコシ・スターチと混合し、常法に依ってフマル酸の２０倍散剤にする。
【００９８】
実施例７０：丸剤
成分はコハク酸５０ｇ、リン酸二水素カリウム１ｇ、甘草５０ｇ、朝鮮人参５ｍｇ、生姜１ｇ、スターチ５ｇ、蜂蜜５０ｇである。
製造法は先ず、コハク酸を研磨して細い粉にし、それから他の成分と混合した後，製丸機でコハク酸３２０ｍｇを含む１００個の丸剤とした。
【００９９】
実施例７１：口錠剤
成分はα−オキシオクタン酸１００ｇ、ゼラチン８０ｇ、グリセリン２００ｇ、アカシアゴム２０ｇ、香水１６０ｇである。
製造法は先ず原料のα−オキシオクタン酸を研磨して細い粉にした。ゼラチンとアカシアゴムに適当な水加えて軟化した後グリセリンを加え、それから加熱して透明になったら、熱いうちにα−オキシオクタン酸粉末を加え、攪拌均一に成った後、型に注ぎ，冷却して製品とする。
【０１００】
実施例７２：懸濁液剤
成分はコハク酸１００ｇ、SPANー６０ ２０ｇ、パラオキシ安息香酸エチル１００ｍｇ、落花生油適量、総量を１０００ｍｌとする。
製造法は先ず、コハク酸とSPANー６０を研磨機で細い粉にした後、パラオキシ安息香酸と落花生油を加え、攪拌機で３分間激しい攪拌したら缶に詰めて製品とする。
【０１０１】
実施例７３：α−オキシエタン酸液剤（非チンキ溶液）
成分はα−オキシエタン酸６ｇ、ステアリルアルコール４７ｇ、エチレングリコール４７ｇ、総量を１００ｇとする。
製造法は先ずステアリルアルコールとα−オキシエタン酸を蒸気浴に溶かし、それからエチレングリコールを加えて、完全混合するまで攪拌し、蒸気浴から卸したら６％α−オキシエタン酸を含む非チンキ溶液とする。
【０１０２】
実施例７４：クリーム
甲成分はステアリン酸１５ｇ、へキサデカンアルコール５ｇ、ポリエチレングリコール４００ ５ｇ、流動パラフィン４ｇ、クエン酸５ｇである。
乙成分はグリセリン１０ｇ、純水を加えて１００ｇとする。
製造法は甲と乙成分をおのおの調製した後、常法に依って二組の成分を混合均一にし、クエン酸５％を含む１００ｇのクリームとする。
【０１０３】
実施例７５：スプレー
成分はクエン酸０.２５重量部、エタノール３３重量部、残りは推進剤１２／１１４（２０:８０）、総量を１００重量部とする。
製造法は先ず、クエン酸をエタノールに溶かし、冷却して定量的にスプレー容器に充填し、それから−３０℃に冷却した推進剤を定量的に充填した後、すぐにバルブを閉めて製品とする。
【０１０４】
実施例７６：食品に混ぜる(缶詰め)
製造法は先ずいわし１０ｋｇを洗浄し、頭尾と内臓を取り除いた後、適当な大きさに捌き、次に、１.２ｋｇの塩と８００ｇのクエン酸を溶かした２０リットルの熱いお湯で煮熟した後、４号缶に３５０ｇの魚肉を詰め、それから７５ｇのトマトケチャップを加え、封缶後通常の熱処理で滅菌して製品とする。
【０１０５】
実施例７７：食品に混ぜる(クッキー)
成分はメリケン粉１０ｋｇ、砂糖３.５ｋｇ、ショートニングオイル０.８ｋｇ、水飴１ｋｇ、塩０.０３ｋｇ、発酵剤０.２ｋｇ、アルファーオキシエタン酸０.６ｋｇである。
製造法は通常なクッキー製造方法に従い、即ちメリケン粉、砂糖、塩、アルファーオキシエタン酸を別々に研磨粉砕し、網に振り分けた後混合し、一部の発酵剤とメリケン粉も振り分けた後に加えて混合し，最後に水飴とショートニングオイル加えてよく混合する。混合物を整形し、少量サダオイルを塗ったプレートで、前半１８０℃〜２００℃、中間２２０〜２５０℃、後半１５０℃〜２０５℃の範囲で焼いて製品とする。
【０１０６】
実施例７８：食品に混ぜる(ケーキ)
成分はメリケン粉１ｋｇ、砂糖１ｋｇ、卵１ｋｇ、グルコノラクトン１５０ｇ、水３００ｇである。
製造法は先ず、卵の白身を泡立ち器で泡立て、卵の黄身、砂糖、グルコノラクトン、水などを加え、攪拌均一にしたらメリケン粉を振り分けて加え、軽く混合して型に注いだ後、焼いたら製品とする。
【０１０７】
実施例７９：食品に混ぜる(キャンディ)
成分は白砂糖４３０ｇ、でんぷんシロップ３５０ｇ、転化シロップ１７０ｇ、ゼラチン５０ｇ、クエン酸二水素ナトリウム２０ｇ、クエン酸二水素カリウム２０ｇ、バニラ精２ｍｌである。
製造法は先ず、ゼラチンを小粒にきり、二重なべに約３倍の水を加え、二重なべで加熱軟化した。ソフトキャンディ製造方法で、白砂糖、でんぷんシロップ、転化シロップを溶解して煮込んだ後、クエン酸二水素カリウム、クエン酸二水素ナトリウム、香料を加えて混合均一にし、ついに溶かしたゼラチン液を加え、注意深い攪拌して泡を除き、粉型成形、切、包装らの工程を経て製品とする。
【０１０８】
実施例８０：食品に混ぜる(チューインガム，片剤)
成分はポリ酢酸エチレンの５０％液５００ｇ、軟化材（D.B.D）１５０ｇ、炭酸カルシウム２００ｇ、メリケンコ５０ｇらを混合してガム剤とする。
製造法は先ず、ガム剤２１０ｇを、リンゴ酸５０ｇ、砂糖６５０ｇ、水飴１００ｇ、薄荷３ｍｌなどと練った後、圧出、ローラーでならし、きり、包装など工程を経て製品とする。
【０１０９】
実施例８１：食品に混ぜる(ミネラルを含む乳酸飲料)
成分はスキムミルク１ｋｇ、砂糖１.５ｋｇ、乳酸１５ｋｇ、乳酸カルシウム５ｇ、プロピレンアルギン酸グリコール４ｇであう。
製法は先ず、スキムミルクを５０℃まで加熱し、砂糖を加えて溶解後、乳酸カルシウムとプロピレンアルギン酸グリコールを加え、８０℃で２時間を保ち、滅菌後ろ過し、１５℃まで冷却をした。乳酸に水を加え７５ｍｌになってから、そのろ液を攪拌しながら加えた後、瓶に詰めて製品とする。
【０１１０】
実施例８２：食品に混ぜる(ピーナツ製品)
成分はピーナツ１ｋｇ、塩２０ｇ、フマル酸２５ｇ、レシチン５０ｇ、パイナップル酵素２０ｍｇ、アルコール２ｍｌである。
製法は先ず、ピーナツを１６０℃に１時間炒め、十分に乾燥したら粉砕機で粉砕し、皮と胚を振り分けて除いた後、塩、レシチン、パイナップル酵素（先ずアルコールに溶けた）フマル酸を加え、ペーストにして製品とする。
【０１１１】
実施例８３：食品に混ぜる(プリン)
成分はミルク７５０ｍｌ、卵６個、砂糖１５０ｇ、酒石酸２１ｇ、イソー吉草酸エチル２滴、カラメル原料（砂糖１００gと水６g）を１０人前分の原料とする。
製法は先ず、砂糖と水とをフライパンでカラメルに調製した後、それを容器底に少量のバターを塗った１０個のプリン容器に分けた。底が湿った鍋にミルクと香料を加えて加熱し、沸騰する時に攪拌しながら、別に泡立て機で卵と砂糖の混合物を泡立てた混合液を加えて攪拌し、液体を容器に注いで、１６０℃の蒸し機で３０分間処理したら製品とする。
【０１１２】
実施例８４：オレンジ果汁
原料は甘み１０度、酸１.０％のオレンジ果汁５ｋｇ、無水果糖０.８５ｋｇ、オレンジ・エッセンス１ｍｌ、クエン酸１５０ｇである。
製造方法は、原料を混合溶解し、水を加えて総量を１０リットルのオレンジ果汁とする。それを包装し製品とする。
【０１１３】
実施例８５：ソフト果汁・飲料（オレンジ果汁を含む）
原料は甘み５０度、酸味６％のオレンジ果汁５ｋｇ、砂糖１.２ｇ、リンゴ酸２００ｇ、オレンジ・エッセンス５ｍｌ、水適量、総量を１０リットルとする。
製法は原料を混合溶解し、水を加えて総量を１０リットルした後、瓶に詰めて通常法によって二酸化炭素気体を加えて製品とする。
【０１１４】
実施例８６〜９５：果物を原料とする製剤
原料は本発明食用有機酸成分が０.３％以上を含む果物、例えばミカン、モン、ウメ、グレープフルーツ、ブドウ、リンゴ、スターフルーツ、イチゴ、パイナップルなどを、通常の製缶法で選び、洗浄、枝を除き、先端を切り、皮をむき、核を除き、芽を除き、輪にきり、缶詰めし、秤量し、糖液を加え、殺菌、冷却、検査、包装などの工程を経て、缶詰めにする。
【０１１５】
上記の実施例はすべて、純粋な有機酸を使った。ここでは、直接酸を含む果物を有機酸の物質として、前記した実強例に加え、酸度の低いものは研磨又は果汁にした状態で、濃縮操作を経て酸度を引き上げ、酸量を計算した上で実施例に加える。
【０１１６】
例えば実施例８４で、１０リットルのオレンジ果汁を作るには、酸度１.０％のオレンチ果汁５ｋｇ、と１５０ｇのクエン酸が必要である。クエン酸で計算すれば２００ｇのクエン酸に相当する。表にある酸度の違う果物を２００ｇのクエン酸に入れ替えると表６の通りである。
【０１１７】
〔表６〕果物を原料とした時の薬剤量の換算
【表６】
0005937291.tif 000008
【０１１８】
表から分るように実施例９０、９１、９２、９４は１０ｋｇより多い果物を要するので、使う前に濃縮させて体積を減らすことが必要である。
本発明の薬剤は可食有機酸なので、酸を含む果物の利用は当たり前のことである。その他の成分は、薬剤が許容するビヒクルに当たる。
【０１１９】
実施例９６：果物(レモン)
原料は酸度６％のレモン１ｋｇ、砂糖粉０.５ｋｇ、蜂蜜０.３ｋｇ、甘草膏１g、塩０.２gである。
製造方法はレモンを選び、皮削り、洗浄、切、瓶詰め半量、砂糖粉、蜂蜜、甘草膏、塩を、激しく攪拌しながら順番に加えた後、等量のものを瓶に加えて封瓶、熱殺菌、冷却を経て製品とする、又は熱処理しない。
【０１２０】
実施例９７：果物(スターフルーツ)
原料は酸度５％のスターフルーツ１ｋｇ、砂糖粉０.５ｋｇ、蜂蜜０.３ｋｇ、甘草膏１g、塩０.２gである。
製造方法はスターフルーツを選び、洗浄し、先端を切り、３／４インチに切り、瓶詰めし、半量に、砂糖粉、蜂蜜、甘草膏、塩を激しく攪拌し、この順序で加えた後、等量のものを瓶に加えて封瓶、熱殺菌、冷却を経て製品とする、又は熱処理しない。
【０１２１】
実施例９８：インスタント・コーヒーとテトラパック・コーヒー
原料はコーヒー豆１０ｋｇ、リンゴ酸１.５ｋｇ、砂糖９.６ｋｇ、クリーム２ｋｇ、水適量である。
製造方法はコーヒー豆を炒め、粉砕、加圧熱水ろ過、１０リットルの３０％エキスをえた。そこに、リンゴ酸を加えた後常法でチッ素雰囲気のもとで凍結乾燥させると酸３３％を含む４.５ｋｇのコーヒー・エキスを得た。
【０１２２】
このエキスに砂糖とクリームとを混ぜた後、１７gの量に小分けしてアルミニウム・フォイルに詰め、携帯式のコーヒーとする。
【０１２３】
前に得た１０リットルの３０％エキスに、リンゴ酸１.５ｋｇ、砂糖９.６ｋｇ、クリーム７.２ｋｇ、と水を加えて総量２４０リットルと成り、再び沸かし、冷却後、２００ｍｌに小分けて包装すると、１２００パックの製品をえた。
【０１２４】
実施例９９：リンゴサイダー
原料は砂糖１.４ｋｇ、リンゴ酸４０g、イソ吉草酸ブチル４g、ビタミンB１２０ｍｇ、水適量、総量は１０リットルである。
製造方法は先ず砂糖を５６％の溶液に作る。酸、香料、ビタミンなどを水に溶けた後砂糖液と混ぜた後、ろ過、冷却、高圧の二酸化炭素気体と接触、瓶詰めの工程を経て１０リットルの製品とする。その際瓶の圧力は１５℃で５０lbである。
【０１２５】
実施例１００：サルサ
原料はサルサ・エキス１００ｍｌ、アルコール２４ｍｌ、砂糖５００g、果糖３９０g、五酸化二リン５.５g、カラメル１０g、香草精１ｍｌ、クエン酸１００g、水適量、総量を１０リットルとする。
製造方法は先ず香料アルコールに溶けた後サルサ・エキスと混ぜ、それから他の成分とを純水に溶かし１０リットルとする。次いで，サイダーの製造方法と同じ工程を経て製品とする。
【０１２６】
実施例１０１：コーラ
原料はコーラ種のエキス１００ｍｌ、アルコール２４ｍｌ、砂糖５００g、果糖３９０g、五酸化二リン５.５g、カラメル１０g、香草精１ｍｌ、カフェイン１.４g、クエン酸１００g、水適量、総量を１０リットルとする。
製造方法はサルサと同じである。
【０１２７】
実施例１０２：醗酵乳飲料
原料はスキムミルク１０リットル、スキム粉ミルク２ｋｇ、水飴５ｋｇ、砂糖３ｋｇ、CMC１００g、クエン酸５０g、リン酸１０g、乳酸菌因子１８０ｍｌ、香草精１ｍｌである。
製造方法は先ずスキムミルクとスキム粉ミルクを混ぜた後、水飴と砂糖を溶け、８０℃で３０分加熱し、４０℃まで冷却しとき乳酸菌因子を加え、３８℃で２時間の醗酵を行い、ゲル化したらクエンとリン酸を加え、次いで、激しい攪拌をして更に６０℃まで加熱して均一化し、CMC液を加え、分散乳化後、水飴と砂糖を加えて攪拌と同時に加熱して溶け、８０℃で２０分加熱滅菌する。熱いうちにろ過し、冷却し、少量のアルコールに溶けた香料を加え、瓶詰めして製品とする。最後の滅菌をしない場合には、活性乳酸菌を含む飲料（乳酸菌機能性飲料）である。
【０１２８】
実施例１０３：ビール
原料は台湾公売局のビール１０リットル（その比重は１.００７５、浸出物質３.４％、ｐＨ値４.２、酸度１.３）、クエン酸４５g、クエン酸二水素カリウム２５g、二酸化炭素気体である。
製造方法はビールにクエン酸とクエン酸二水素カリウムに溶けて混ぜた後、二酸化炭素気体を補充したら瓶詰めして製品とする。
【０１２９】
実施例１０４：果実酒
原料はレモン１.５ｋｇ、にんにく３００g、生姜５０g、果糖２００g、米酒２リットル、蜂蜜３００gである。
製造方法は先ずレモンの皮を剥き除いたら片に切って瓶に詰める。にんにくはマイクロウエブで１分間加熱し、冷却後瓶に詰める。生姜も片に切って瓶に詰める、最後に果糖、米酒、蜂蜜加え、瓶を閉めて一月置いたら製品となる。
【０１３０】
実施例１０５：その他の酒、例えばウィスキー、米酒、ブランディ、清酒、コウリョウ酒、ぶどう酒など。
酒を醸造するとき皆有機酸が副産物として出で来る。例えば米酒（０.４％〜０.６％）、清酒（０.１５％）、コウリョウ酒（０.０５５~０.０７％）、ぶどう酒（０.５％〜３％）である。故に本発明の酒配合剤は既成の酒であり、酸度を２〜３％を目安として、足りない分を酸で補う。
【０１３１】
実施例１０６：五加皮薬酒
原料は薬材２０g（五加皮０.５g、桂皮１.９g、当帰１.５g、玉竹５g、白党参０.４g、川キョー０.７g、甘草０.７g、何烏首１.５g、川牛漆０.５g、熟地７.５gを含む）、アルコール３.０７リットル、カラメル１.５g、飴４００g、白糖４００g、醤油色素２０g、クエン酸３８０g、吉草酸アミル１g、総量が２.３リットルである。
【０１３２】
製造方法は先ず薬材の玉竹と熟地を除いてその他のものを粉砕し混合して袋に詰めてアルコールに二週間浸漬する。玉竹と熟地を粉砕した後水を加え二重鍋で８時間煮込む。沸いた水で飴を溶け、そこに浸薬のアルコールと煮込んだ水溶液とを混ぜ、アルコールの含有量を２５％に調整し、色素と香料を加え、充分攪拌して一週間放置し、沈でん、貯蔵、瓶詰めなど工程を経て製品とする。
【０１３３】
実施例１０７〜１１１：チンキ剤、抗炎、鎮痛、抗痒
原料はクエン酸１０g、グリセリン５g、アルコール（７０v／v）９０ｍｌ。 
製造方法は原料を混ぜて製品とする。
【０１３４】
各症状の治療の患者は五人を一組、一日三回薬剤を塗って，結果は表７に示す通りである。本発明の薬剤は良い効果を持つ上、無色なので衣類を汚す事がない。皮膚が破れた傷には短時間の刺激感がある。明らかに、本発明の薬剤は抗炎剤、鎮痛剤、抗痒剤に適用できる。
【０１３５】
〔表７〕チンキ剤の外傷効果試験
【表７】
0005937291.tif 000009
【０１３６】
実施例１１２：アレルギーリスクを下げる乳製品
原料はミルク１０リットル、クエン酸１５ｇ、Ｃa−CMC３gである。
製造方法は、ミルクを攪拌しながらＣa−CMCを加え、均一にしたらクエン酸を加えて溶かし、又攪拌均一してアレルギーリスクを下げる牛乳製品とする。
アレルギーリスクを下げる牛乳をスプレー乾燥機で粉ミルクに製造すれば、アレルギーリスクを下げる粉ミルクができる。
【０１３７】
実施例１１３：えびの加工
原料は小えび１０ｋｇ、塩３６０g、クエン酸３６０g、水２０リットルである。
製造方法は先ず籠にえびを入れ、水槽で水洗いした後水をこす。塩とクエン酸を溶かして沸かした２００リットルの水溶液に、干したえびを入れ２０分間茹で、茹でたえびを取り出して薄い草座にしいて日干し、干した物を包装して製品とする。本発明の薬剤で処理したえびの新鮮さを長期に保存することができるうえ、アレルギーになり易い人に食べさせても免疫上の問題がない。
【０１３８】
実施例１１４：干し魚の加工
原料は小いわし１０ｋｇ、塩１.２ｋｇ、クエン酸１ｋｇ、水２０リットルである。
製造方法は先ず塩とクエン酸をなべにある２０リットル水に溶かし煮液を得る。いわしを水槽中で水洗いし、取り出して１０層を重ねる蒸し籠に詰めて、沸騰した水槽液に入れ、原料を入れた後、釜の水が再び沸かした時は煮熟時間である。新鮮な煮液を加え、釜液に浮かぶものを洗い落とした後、蒸し籠を取り出してそのまま日干しにする。毎日一回籠を反転して干し、夏には約３日で完成する。いわしを包装して製品とする。
【０１３９】
実施例１１５：塩干いわし
原料はいわし１０ｋｇ、塩１ｋｇ、リンゴ酸４００gである。
製造方法は先ず新鮮ないわしを水で洗いした後、塩とリンゴ酸を溶かした６リットルの浸液に入れ、８時間後取り出し、日干しにしたら製品とする。
【０１４０】
実施例１１６：かに缶詰め
原料は帝王かにの肉２ｋｇ、塩５０g、リンゴ酸１００gである。
製造方法は先ず塩とリンゴ酸を１.５リットル水に溶け、この溶液を沸かした時かに肉を入れ、肉色が白くなったら取り出し、缶に詰め、封缶、加圧滅菌、冷却、検査などの工程を経て製品とする。
【０１４１】
実施例１１７：卵料理（コハク酸入り芙蓉料理）
原料はかに缶詰め１／２缶、米酒１０ｍｌ、卵６個、コハク酸６g、塩３g、味の素１g、落花生油１５g、グリンピース５gで４人前分である。
製造方法は先ずかに肉に酒、卵、コハク酸、塩、味の素等と調和し、鍋に落花生油を入れ、煙が出し始めとき、かに肉調和物をグリンピースと半熟に炒め、裏返して少し炒めたら製品となる。
【０１４２】
実施例１１８：魚缶に二種類の活性成分を含む（クエン酸とナイシン）
実施例７６の製造工程において、原料にトマトケチャップを加える前に、そのうち７５gのトマトケチャップを先ず１０ｍｇのナイシン（NISIN）と混ぜた後、封缶と通常の工程を得て製品とする。
【０１４３】
実施例１１９：経皮吸収剤
基材の組成はアクリ酸エステルオリゴマ（C４〜C８）４７％、と（アクリ酸２ーエチル・へキシ９６％、ｎーエチレンー２ープロリトン４％）５３％とを混ぜ、それから５％の２ー〔４ー（２ーオキシー２ーメチルー１ーオキシプロピル）べゾエル〕ー２ーアクリエステルの硬化剤と混ぜる。
【０１４４】
皮膚吸収する貼用剤の組成は、ペパーミント０.９ｇ、ハッカ油１.２g、樟脳０.８g、クエン酸１.２g、と上記の基材と調和して１００gとする。処理した紙に２組の薬剤を均一に塗り、３００w／inchの紫外線に１分間照射して製品とする。
【０１４５】
本発明製品を５人の試験者に長時間使用したところ、アレルギーや痒みはなかった。薬剤の吸収効果が伝統のものより良いことが分った。
【０１４６】
実施例１２０：抗アレルギー手袋の製造
原料はラテックス（ｐＨ値１０.５、アンモニアを含む、固体成分５０％、Taiping, Perak, Malaysia産）２００％、ホウ酸で処理した乳汁蛋白(固体成分１０％)７５％、酸化亜鉛分散液(固体成分５０％)１０.０％、エピクロヒトリンで架橋したトウモロコシでんぷんスラリー(固体成分５０％)１３３％、イオウ１％、分子量５０００００〜１００００００のカルボキシポリメチレンポリマー０.０５％、そのほかは水で、固体成分が１０％に成るように稀釈する。凝集液は硝酸カルシウム４５％の純水水溶液である。
製造方法は普通の手袋製造方法に従い、まず手型を凝集液、乾燥、ラテックス液、乾燥、ラテックス液、口折、乾燥、クロスリンキング、洗浄、乾燥、５％のクエン酸水溶液、乾燥、粉かけ（粒度５〜４０ミクロンの酸化マグネシウム）、型はずし、包装の工程を経て製品とする。
【０１４７】
上記の工程において、本発明の薬剤液に浸漬しない場合には、本発明の薬剤を粒度５〜４０ミクロンにした後、４％を含有率のように粉剤と混合して粉かけする。この製品を医療用ラテックス手袋にアレルギーし易い５人に使用させたところ、皆アレルギーの症状がなかった。
【０１４８】
実施例１２１：頭皮ふけ防止剤
原料のはっか油１.２％、グリセリン６％、クロロフィル０.２％、リンゴ酸２％、アルコール６０％、純水３０.６％などを混合してヘアトニックとする。
ふけのある患者５人を試験者として、洗髪した後、毎日二回頭皮に塗る。ふけと痒みの症状がなくなった。
【０１４９】
実施例１２２：ぶどう糖注射液(他の活性成分を含む)
無菌室で高圧蒸気滅菌した純水１０リットルに、５００ｇのグルコースとクエン酸１０gを溶かし、無菌ろ過処理した後、ＧＭＰの規定により５００ｍｌ瓶に詰めて製品とする。
【０１５０】
実施例１２３：抗フリーラジカル試験
本試験には、フリーラジカル量の測定は米国のバィオバイタル(BioVitale Inc. Irvine, La., USA)の個人用フリーラジカル試験キット(Individual free radical testing kit)を使用する。方法は受験人の尿をキットのピペットで一定量をとリ、試験剤を入れてあるアンプルの蓋を開け、ピペットにある尿を加え、瓶を振って５分間経ったら、瓶内液体の色をキットの標準表に照らし、その合ったものを読み取る。標準表には、最適量(０)、低い量(+１)、中間量(+２)と高い量(+３)の四つのランクに分ける。
【０１５１】
試験する前に、４０〜５０歳の５人の尿を測定した、その中フリーラジカル量が中間量のものは二人、高い量のものは三人だった。この五人に各々実施例５１の薬剤一日三回を投与した。２日後各々の尿のフリーラジカルを分析した結果は表８に示した通りである。本発明製品は良好な抗フリーラジカル効果を有する。
【０１５２】
〔表８〕尿液中のフリーラジカル含量 
【表８】
0005937291.tif 000010
【０１５３】
実施例１２４〜１２８：酵素活性の抑制試験
上記の実施例１〜４５と実施例１０７〜１１１から分るように本発明の薬剤は、ヒスタミン、炎症、鎮痛、抗痒み等の症状を抑制する事ができる。薬理学的からも分る前列腺素の遊離をも抑制し、それにより、栓子と血栓の生成に依る脳卒中の脳出血や心筋梗塞などの心血管系の病気を除去することができる。何故ならば、血小板の出す前列腺凝素は血小板に対して凝集メッセージを促進し、それにより、血の固まりを最初に生成するからである。実施例１２３のフリーラジカル量の試験結果から分るように、前列腺素の遊離に必要なシクロキシゲナーゼノの活性には過酸素フリーラジカルが存在しない。フライドウィチ(Fridowich)に依れば、過酸化物フリーラジカルの生成途中で、キサンチン酸酵素により体外で試験することができる(Fridowich, I., １９７０, J. Biol. Chem., ２１５, ４０５３〜４０５７)。よって、本発明はこの方法で薬剤の効果を証明する。
【０１５４】
キサンチン酸酵素の抑制試験は、カルカール(H.M. Kalchal)の方法で行う(J.Bio. Chem.,１６７, ４２９〜４４３, １９４７)。その基本原理はキサンチン酸酵素がキサンチンに作用したら、キサンチンが尿酸に変わる。分光光度計法によって尿酸量を測り、薬剤のキサンチン酸酵素に対する抑制効果を計算する事ができる。
【０１５５】
操作の手順は、過酸素フリーラジカルが生成する時に、分光光度計の１ｃｍセルに最終濃度が０.０１u／ｍｌに成るようにキサンチン酸酵素を入れ、そこに０.０５M（ｐＨ値７.４）のリン酸バッファ剤またはインヒビターを加える。反応時間の初めはキサンチンの最終濃度が５×１０-5Mになった時からである。コントロール組には沸騰して処理したキサンチン酸酵素を用いて、キサンチンと薬剤と混ぜ、サンプル誤差を下げる。
【０１５６】
測定条件は波長２９５ｎｍで２分間内に、３０秒毎にそのデータをとる。
薬剤の抑制活性の表示法として、各々抑制剤の各種の薬用量が酵素の活性の抑制率(％)で表す。キサンチン酸酵素の活性計算単位は０.００１／M／ｍｉｎの変化量である。対数記録用紙に各々添加した抑制剤の濃度（M）を抑制率(％)の函数とする。最後に線性の回帰法で酵素の抑制率が５０％に達した時の薬剤の濃度（IC５０）を求める。
【０１５７】
測定した薬剤は、コハク酸、クエン酸、リンゴ酸、酒石酸、フマル酸、葉酸等で、葉酸は比較の目安である。結果は表に示す通り、本発明の薬剤は良好な抑制効果を示した。
〔表９〕抑制酵素の活性 
【表９】
0005937291.tif 000011
【０１５８】
実施例１３０：抗痛の試験
本発明の薬剤（リンゴ酸３００ｍｇ、酒石酸３００ｍｇ、クエン酸３００ｍｇ、カフェイン５０ｍｇ、カテキン１０ｍｇ）を生理痛と頭痛があった５人に投与した。１０分〜３０分間で痛みを緩和した。